(57)【要約】【課題】インターファイス変換回路により異なる規格のメモリカードに対して互換性を具え、画像、映像、音声などを再生し、使用に便利で実用的なマルチメディア再生装置を提供する。【解決手段】１つ以上のメモリカードを挿入するカードコネクタと、インタフフェイスを切り替えてメモリカードのデータを読み取り、書き込みをするインターファイス変換回路と、該メモリカードに書き込むデータを圧縮し、読み取った圧縮データを解凍する圧縮・解凍回路と、該読み取り、書き込みデータと、関連するデータとを保存するメモリと、該解凍された読み取りデータをデジタル信号からアナログ信号に変換し、駆動コマンドを出力する信号変換制御回路と、駆動コマンドに基づいてマルチメディア装置を駆動し、アナログ信号を出力するマルチメディア駆動回路と、上述するそれぞれの素子に電力を提供する電源供給器とによって構成する。【選択図】　図１
0003097205.tif 000002
【実用新案登録請求の範囲】
【請求項１】
規格の異なる少なくとも１つ以上のメモリカードを挿入するカードコネクタと、
該カードコネクタに電気的に接続し、インタフェイスを切り替えて該メモリカードのデータ読み取り、もしくは書き込みを行なうインターファイス変換回路と、
該インターファイス変換回路に電気的に接続し、該メモリカードに書き込むデータを圧縮するとともに、該メモリカードから読み取った圧縮データを解凍する圧縮・解凍回路と、
該圧縮・解凍回路に電気的に接続し、該読み取り、書き込みデータと、及び関連するデータとを保存するメモリと、
該圧縮・解凍回路に電気的に接続し、該解凍された該読み取りデータをデジタル信号からアナログ信号に変換し、かつ駆動コマンドを出力する信号変換制御回路と、
該信号変換制御回路に電気的に接続し、該駆動コマンドに基づいてマルチメディア装置を駆動し、該アナログ信号を出力するマルチメディア駆動回路と、
前記するそれぞれの素子の操作に必要な電力を提供する電源供給器とによって構成することを特徴とするマルチメディア再生装置。
【請求項２】
前記マルチメディア再生装置は、さらに、キーモジュールを具えてなることを特徴とする請求項１に記載のマルチメディア再生装置。
【請求項３】
前記カードコネクタは、フラッシュメモリカード（Ｃｏｍｐａｃｔ　Ｆｌａｓｈ：ＣＦ）用スロットを含む少なくと２つ以上のスロットを具ることを特徴とする請求項に１に記載のマルチメディア再生装置。
【請求項４】
前記カードコネクタは、該インターファイス変換回路に接続するＵＳＢ接続ポートをさらに含むことを特徴とする請求項１に記載のマルチメディア再生装置。
【請求項５】
前記カードコネクタに挿入する該メモリカードは、セキュリティデジタルメモリカード（Ｓｅｃｕｒｅｄ　Ｄｉｇｉｔａｌ：ＳＤ）か、マルチメディアカード（Ｍｕｌｔｉｍｅｄｉａ　Ｃａｒｄ：ＭＭＣ）か、スマートメディアカード（Ｓｍａｒｔ　Ｍｅｄｉａ：ＳＭ）か、ＭＳカード（Ｍｅｍｏｒｙ　Ｓｔｉｃｋ）か、もしくはフシュメモリカード（Ｃｏｍｐａｃｔ　Ｆｌａｓｈ、ＣＦ）などを組み合わせてなるグループから少なくとも１以上選択されることを特徴とする請求項１に記載のマルチメディア再生装置。
【請求項６】
前記メモリは、ランダムアクセスメモリ（ＲＡＭ）か、フラッシュメモリか、もしくは電気的消去型ピーロム（ＥＥＰＲＯＭ）を組み合わせてなるグループから少なくと１以上選択されることを特徴とする請求項１に記載のマルチメディア再生装置。
【請求項７】
前記メモリに保存する関係データは、インストールによって常駐するプラグラム及びソフトウェアを含むことを特徴とする請求項１に記載のマルチメディア再生装置。
【請求項８】
前記マルチメディア装置は、画像表示装置か、もしくは音声再生装置を組み合わせてなるグループから少なくとも１以上選択されることを特徴とする請求項１に記載のマルチメディア再生装置。
【請求項９】
前記マルチメディア駆動回路が該マルチメディア装置を駆動して再生するファイルは、ピクチャファイルか、映像ファイルか、もしくは音声ファイルを組み合わせてなるグループから少なくとも１以上選択されることを特徴とする請求項１に記載のマルチメディア再生装置。
【請求項１０】
前記信号変換回路は、さらに無線送信モジュールに接続することを特徴とする請求項１に記載するマルチメディア再生装置。
【考案の詳細な説明】
【０００１】
【考案の属する技術分野】
本考案は、画像、映像、音声などを再生するマルチメディア再生装置に関し、特に、異なる規格のメモリカードに対して互換性を具えるマルチメディア再生装置に関する。
【０００２】
【従来の技術】
情報産業の発展にともない、携帯電話機、ポータブルコンピュータ、パーソナルデジタルアシスタント　（ＰＤＡ）、デジタルカメラ及びデジタルピクチャフレーム（Ｄｉｇｉｔａｌ　ｐｉｃｔｕｒｅ　ｆｒａｍｅ）等の多種多様な電子情報製品が普及し、日常生活において画像、音声などがマルチメディアファイルの形式で媒体を介して提供され、もしくはデータネットワーク伝送等によって提供され、様様に応用されるようになってきた。このため、例えばセキュリティデジメモリカード（Ｓｅｃｕｒｅｄ　Ｄｉｇｉｔａｌ、ＳＤ）、フラッシュメモリカード（Ｃｏｍｐａｃｔ　Ｆｌａｓｈ、ＣＦ）、スマートメディアカード（Ｓｍａｒｔ　Ｍｅｄｉａ、ＳＭ）、ＭＳカード（Ｍｅｍｏｒｙ　Ｓｔｉｃｋ）或いはマルチメディアカード（Ｍｕｌｔｉｍｅｄｉａ　Ｃａｒｄ、ＭＭＣ）等のコンパクトサイズのメモリカードが各種電子製品用に開発され、提供されている。
【０００３】
数多くの電子製品において、デジタルピクチャフレームは、液晶表示装置（ＬＣＤ）から構成し、各種メモリカードにあるＪＰＥＧファイル等のデジタルグラフフィルを読出して画像を表示する。通常は、デジタルカメラとともに使用し、デジタルピクチャフレームを介し、デジタルカメラで撮影した画像を編集し、且つ表示し鑑賞する。しかし、現状において、異なるブランドのデジタルカメラが使用するメモリカードの規格は異なり、一般なデジタルピクチャフレーム表示器製品は、特定ブランドの規格のメモリカードしか使用することができない。例えば、一般にＣＦカード或いはＳＭカードに適用するものは、直接、ＭＳカードを受けることができず、ユーザーはＭＳカードに保存したピクチャをＣＦカード或いはＳＭカードに伝送しなければ、デジタルピクチャフレームで読出しすることができない。しかしながら、この操作は、必ずデジタルカメラとコンピュータを直接接続するか、或いはカードリーダを介してデジタルカメラとコンピュータを接続してからでなければ、ＭＳカードにあるイメージファイルをコンピュータへ伝送して、カードリーダによりファイルをＣＦカード或いはＳＭカードに保存できない。しかしこの方法は使用上、非常に不便であり、また、現在のデジタルピクチャフレームは、デジタルグラフフィルを読出しや表示のみができ、動的画像音声ファイルを書込み及び再生することはできないので、この点で効果である製品でも実用性が低い。
【０００４】
一方、電車、バスなどの車両内、駅の構内、もしくは特定の業者の広告ボックスは、視覚的に訴える広告の効果があるが、広告用の画面を交換する時、広告ボックス全体を交換する必要が生じ、不便なだけでなくコスト上も採算が低い。
【０００５】
【考案が解決しようとする課題】
この考案は、インターファイス変換回路により異なる規格のメモリカードに対して互換性を具え、画像、映像、音声などを再生し、使用に便利で実用性が高いマルチメディア再生装置を提供することを課題とする。
【０００６】
【課題を解決するための手段】
そこで本考案者は、従来の技術に見られる欠点に鑑み鋭意研究を重ねた結果、規格の異なる少なくとも１以上のメモリカードを挿入するカードコネクタと、インターファイスを切り替え、メモリカードのデータ読み取り、書き込みを行なうインターファイス変換回路と、該メモリカードに書き込むデータを圧縮し読み取った圧縮データを解凍する圧縮・解凍回路と、該読み取り、書き込みデータと、及び関連するデータとを保存するメモリと、該解凍された該読み取りデータをデジタル信号からアナログ信号に変換し、かつ駆動コマンドを出力する信号変換制御回路と、マルチメディア装置を駆動し、該アナログ信号を出力するマルチメディア駆動回路と、前記するそれぞれの素子の操作に必要な電力を提供する電源供給器とによってなるマルチメディア再生装置の構造によって課題を解決できる点に着眼し、かかる知見に基づいてこの考案を完成させた。
【０００７】
以下この考案について具体的に説明する。
請求項１に記載するマルチメディア再生装置は、規格の異なる少なくとも１以上のメモリカードを挿入するカードコネクタと、　該カードコネクタに電気的に接続し、インターファイスを切り替えて該メモリカードのデータ読み取り、もしくは書き込みを行なうインターファイス変換回路と、該インターファイス変換回路に電気的に接続し、該メモリカードに書き込むデータを圧縮するとともに、該メモリカードから読み取った圧縮データを解凍する圧縮・解凍回路と、該圧縮・解凍回路に電気的に接続し、該読み取り、書き込みデータと、及び関連するデータとを保存するメモリと、該圧縮・解凍回路に電気的に接続し、該解凍された該読み取りデータをデジタル信号からアナログ信号に変換し、かつ駆動コマンドを出力する信号変換制御回路と、該信号変換制御回路に電気的に接続し、該駆動コマンドに基づいてマルチメディア装置を駆動し、該アナログ信号を出力するマルチメディア駆動回路と、　前記するそれぞれの素子の操作に必要な電力を提供する電源供給器とによって構成する。
【０００８】
請求項２に記載するマルチメディア再生装置は、請求項１におけるマルチメディア再生装置がさらに、キーモジュールを具えてなる。
【０００９】
請求項３に記載するマルチメディア再生装置は、請求項１におけるカードコネクタが、フラッシュメモリカード（Ｃｏｍｐａｃｔ　Ｆｌａｓｈ：ＣＦ）用スロットを含む少なくと２つ以上のスロットを具る。
【００１０】
請求項４に記載するマルチメディア再生装置は、請求項１におけるカードコネクタが、該インターファイス変換回路に接続するＵＳＢ接続ポートをさらに含む。
【００１１】
請求項５に記載するマルチメディア再生装置は、請求項１におけるカードコネクタに挿入する該メモリカードが、セキュリティデジタルメモリカード（Ｓｅｃｕｒｅｄ　Ｄｉｇｉｔａｌ：ＳＤ）か、マルチメディアカード（Ｍｕｌｔｉｍｅｄｉａ　Ｃａｒｄ：ＭＭＣ）か、スマートメディアカード（Ｓｍａｒｔ　Ｍｅｄｉａ：ＳＭ）か、ＭＳカード（Ｍｅｍｏｒｙ　Ｓｔｉｃｋ）か、もしくはフシュメモリカード（Ｃｏｍｐａｃｔ　Ｆｌａｓｈ、ＣＦ）などを組み合わせてなるグループから少なくとも１以上選択される。
【００１２】
請求項６に記載するマルチメディア再生装置は、請求項１におけるメモリが、ランダムアクセスメモリ（ＲＡＭ）か、フラッシュメモリか、もしくは電気的消去型ピーロム（ＥＥＰＲＯＭ）を組み合わせてなるグループから少なくと１以上選択される。
【００１３】
請求項７に記載するマルチメディア再生装置は、請求項１におけるメモリに保存する関係データが、インストールによって常駐するプラグラム及びソフトウェアを含む。
【００１４】
請求項８に記載するマルチメディア再生装置は、請求項１におけるマルチメディア装置が、画像表示装置か、もしくは音声再生装置を組み合わせてなるグループから少なくとも１上選択される。
【００１５】
請求項９に記載するマルチメディア再生装置は、請求項１におけるマルチメディア駆動回路が該マルチメディア装置を駆動して再生するファイルが、ピクチャファイルか、映像ファイルか、もしくは音声ファイルを組み合わせてなるグループから少なくとも１以上選択される。
【００１６】
請求項１０に記載するマルチメディア再生装置は、請求項１における信号変換回路が、さらに無線送信モジュールに接続する。
【００１７】
【考案の実施の形態】
この考案は、インタフェイス変換回路により挿入した異なるメモリカードを、互換性のある接続インタフェイスに切替て、圧縮・解凍回路により、マルチメディア再生装置が、単一のスロットで異なるメモリカードを読み書きすることができ、また、従来のデジタルピクチャフレームの応用範囲を拡大し、よりヒューマン的な電子製品を提供する。
【００１８】
図１にこの考案の構成のブロック図を開示する。図１に開示するように、マルチメディア再生装置（１０）は、２つのスロット及びＵＳＢ接続ポート（１８）を具えたカードコネクタ（１２）からなり、該スロットの一方は、最も常用なＣＦカードの挿入に使用されるＣＦカードスロット（１４）で、もう一方のスロットは規格が異なるメモリカード、例えば、ＳＤカード、ＭＭＣカード、ＳＭカード、ＭＳカード及びＣＦカード等の挿入に使用し、ＵＳＢ接続ポート（１８）により例えば、ＰＣ、ポータブルコンピュータ、デジタルカメラ等のＵＳＢスロットを有するコンピュータシステムに接続する多カードスロット（１６）である。これにより、ピクチャ或いは画像音声デジタルデータを保存、バックアップ及び編集する。多カードスロット（１６）　及びＵＳＢ接続ポート（１８）は、それぞれ電気的に同一インターファイス変換回路（２０）に接続後、さらに圧縮・解凍回路（２２）に接続し、ＣＦカードスロット（１４）は直接、圧縮・解凍回路（２２）に接続する。これにより、多カードスロット（１６）は、規格が異なる規格のメモリカードを挿入する時、接続インターファイスを切替、該メモリカードにあるデータを読み出し、書き込みできるようにする。また、ＵＳＢ接続ポート（１８）によりコンピュータシステムへ接続する時、ＵＳＢ接続インタフェイスを切替て接続するが、インタフェイス変換回路（２０）に接続する圧縮・解凍回路（２２）は、内部に書込みデータを圧縮し、読出しデータを解凍するマイクロ微制御器（図示せず）を設け、また、マイクロ制御器の制御により各素子間の動作を整合する。
【００１９】
圧縮・解凍回路（２２）は、それぞれ無線送信モジュール（２４）と、メモリ（２６）と、信号変換制御回路（２８）に接続する。該無線送信モジュール（２４）は８０２．１１ｂプロトコルの伝送モジュールからなり、随時にどこでも無線伝送で画像音声デジタルデータを更新できる。該メモリ（２６）は、通常、フラッシュメモリか、或いは電気的消去可能ＰＲＯＭ（ＥＥＰＲＯＭ）からなり、該メモリカード及びコンピュータの読み書きデータを保存し、内蔵のプラグラムソフトウェア等の関係するデータの保存の使用に供し、該メモリ（２６）は、通常、ランダムアクセスメモリ（ＲＡＭ）を有し、データ伝送過程における一時的なデータ保存の使用を行う。該信号変換制御回路（２８）は、解凍後の当該読出しデータを、デジタル信号からアナログ信号へ変換し、且つ駆動コマンドをマルチメディア駆動回路（３０）へ出力する。マルチメディア駆動回路（３０）は、マルチメディア装置（３２）に接続し、マルチメディア駆動回路（３０）は、該駆動コマンドに従いマルチメディア装置（３２）を駆動してアナログ信号を出力する。該マルチメディア装置（３２）は、画像表示装置（３４）と音声再生装置（３６）とを含んでなる。該画像表示装置（３４）は通常、液晶表示器（ＬＣＤ）からなり、該音声再生装置（３６）はＭＰ３及び他の音声フィルを再生し、画像表示装置（３４）によりグラフフィルを表示するか、或いは、音声再生装置（３６）を合わせて画像フィルム及び音声フィルムを再生する。また、キーモジュール（４０）は、圧縮・解凍回路（２２）に接続し、マルチメディア再生装置（１０）に具えた各機能の操作設定に供し、電源供給器（３８）は、通常、５Ｖ／３Ｖ蓄電池からなり、上述した各素子の操作に必要な電力を提供する。
【００２０】
マルチメディア再生装置（１０）内部の回路は、主に、集積回路であるシステムオンチップ（Ｓｙｓｔｅｍ　ｏｎ　ａ　ｃｈｉｐ、ＳＯＣ）により制作するため、コンパクトな設計のポータブル画像音声マルチメディア再生装置であってもいいし、画像表示装置（３４）を大型のＬＣＤ面板に設計し、マルチメディア再生装置（１０）をデジタルピクチャフレーム、広告ボックス、モバイルタイプの広告ディスプレーボックス、プロジェクタと組み合わせた携帯型のプレゼンテーション表示装置、プロジェクタと組み合わせのマルチメディアテーブル（Ｍｅｄｉａ　Ｔａｂｌｅ）及び、電子広報メディア等大型表示板に使用することもできる。
【００２１】
図２に、この考案を広告ボックスに応用した実施例を開示する。即ち、商店の店頭などに設置して画像、もしくは映像、音声などを再生して広告の目的を達する装置であり、図示に開示するように、外観が、直方体を呈する。該広告ボックスは、表面上方に形成したＬＣＤ画像表示装置（３４）と、該広告ボックス一側面に形成したスピーカ（４２）と、該スピーカー上方に設けたキーモジュール（４０）と、該広告ボックス表面の長手方向一端縁部に形成したＣＦカードスロット（１４）と、多カードスロット（１６）とによってなり、内部回路構造は、上述の構造と同じである。図１に開示するように、メモリカード（４４）を插入して使用する時、メモリカード（４４）がＣＦメモリカードでなければ、多カードスロット（１６）に插入後、インタフェイス変換回路（２０）は、接続インターファイスをメモリカード（４４）に対応するインターファイスへ切替る。この時、キーモジュール（４０）の選択により、先にＪＰＥＧファイルのピクチャ或いはＭＰＥＧ−１、ＭＰＥＧ−２影像圧縮フォーマットファイル等のファイルを、圧縮・解凍回路（２２）内部に具えたマイクロ制御器を介して、メモリ（２６）内部に保存後、メモリカード（４４）を取り出して、再度、キーモジュール（４０）により再生しようとするファイル内容を選択すると、圧縮・解凍回路（２２）は、メモリ（２６）内部から選択したファイルを読出し、影像圧縮フォーマットファイルであれば解凍し、その後、信号変換制御回路（２８）により、解凍後のファイルデータをアナログであるイメージ及び音声信号に変換してマルチメディア駆動回路（３０）へ出力し、同時に、駆動コマンドをマルチメディア駆動回路（３０）へ伝送し、該コマンドに従って、ＬＣＤ画像表示装置（３４）を駆動し、該アナログイメージ信号を影像として画面に表示し、且つ、音声再生装置（３６）を駆動して該アナログ音声信号を再生し、スピーカ（４２）を介して音声を拡大して再生する。
【００２２】
図３にこの考案によるマルチメディア再生装置は、図３に開示するようにハウジング内に設けてモバイルタイプの広告ディスプレーボックスに応用してもよい。即ち、図３に開示するように、ハウジング（４６）内に、ＬＣＤ画像表示装置（３４）、スピーカ（４２）、キーモジュール（４０）、ＣＦカードスロット（１４）及び一多カードスロット（１６）を配設する。内部回路構成は、ＬＣＤ画像表示装置（３４）の裏側の空間に設置され、図１の構成を有するため、ハウジング（４６）の動作流れ及び回路信号連結が上述と同じであるため説明を省略する。
【００２３】
この考案によれば、予めメモリ（２６）に保存した画像音声ファイルを再生する以外に、メモリカード（４４）を多カードスロット（１６）に插入後、直接メモリカード（４４）内部のデータを読取り、直接、メモリカード（４４）内部の画像音声ファイルを再生し、再生するファイルの信号連結は上述の操作過程と同じため、ここでは説明を省略する。これにより、異なるメモリカード（４４）上のマルチメディア内容を再生したい場合、メモリカード（４４）を交換すれば、再度コンピュータを介して保存する必要無く変換して保存できる。この考案は、ユーザーに非常に便利で、且つユーザーが使いやすいマルチメディア再生装置を提供する。
【００２４】
また、この考案は、メモリカード（４４）にあるデータを読出すことができるだけでなく、同時に、圧縮・解凍回路（２２）により、インターファイス変換回路（２０）及びカードコネクタ（１２）の接続を介して、メモリ（２６）内部のデータをメモリカード（４４）に書込み、この考案がメディアを再生するだけでなく、従来技術の問題や欠点を解消し、メモリカードを読み書きする双方向機能を提供する。また、ＵＳＢ接続ポートとコンピュータを連結し、画像音声データの編集及びバックアップをすることができ、マルチメディア再生装置の使用効果を拡大する。
【００２５】
以上はこの考案の好ましい実施例であって、この考案の実施の範囲を限定するものではない。よって、当業者のなし得る修正、もしくは変更であって、この考案の精神の下においてなされ、この考案に対して均等な効果を有するものは、いずれもこの考案の特許登録請求の範囲に属するものとする。
【００２６】
【考案の効果】
このマルチメディア再生装置は、メモリに保存された画像音声ファイルを再生する以外に、直接メモリカードのデータを読取り、画像音声ファイルを再生することができる。よって、異なるメモリカードの内容を再生したい場合、メモリカードを交換すれば変換保存でき、使用に便利な効果を有する。
【００２７】
また、この考案は、メモリカードのデータを読出し、書込みすることができ、メディアを再生するだけでなく、メモリカードを読み書きする双方向機能を有し、また、ＵＳＢ接続ポートとコンピュータを連結し、画像音声データの編集及びバックアップをすることができることによって、マルチメディア再生装置の使用効果を拡大する効果を有する。
【図面の簡単な説明】
【図１】この考案によるマルチメディア再生装置の構造を表すブロック図である。
【図２】この考案によるマルチメディア再生装置の実施例を表す斜視図である。
【図３】この考案によるマルチメディア再生装置の他の実施例を表す斜視図である。
【符号の説明】
１０　マルチメディア再生装置
１２　カードコネクタ
１４　ＣＦカードスロット
１６　多カードスロット
１８　ＵＳＢ接続ポート
２０　インターファイス変換回路
２２　　圧縮・解凍回路
２４　無線送信モジュール
２６　メモリ
２８　信号変換制御回路
３０　マルチメディア駆動回路
３２　マルチメディア装置
３４　画像表示装置
３６　音声再生装置
３８　電源供給器
４０　キーモジュール
４２　スピーカ
４４　メモリカード
４６　ハウジング
【図１】
0003097205.tif 000003
【図２】
0003097205.tif 000004
【図３】
0003097205.tif 000005